(57)【要約】【課題】複数のボタンがそれぞれ適切に動作する筐体を提供する。【解決手段】複数のスイッチが設けられている基板を収納する筐体１１０であって、それぞれ対応するスイッチを押す複数の周辺ボタン１２１、１２３、１２５、１２７と、前記複数の周辺ボタン１２１、１２３、１２５、１２７に囲まれ、対応するスイッチを押す中央ボタン１２８）とを備え、前記周辺ボタン１２１、１２３、１２５、１２７は、第１押し子と、前記第1押し子をスイッチに向かって移動可能に支持する第１アームとを備え、前記中央ボタン１２８は、第２押し子と、前記第２押し子をスイッチに向かって移動可能に支持する第２アームとを備え、前記第２アームの幅は、前記第１アームの幅より小さい。【選択図】図３
2018133320.tif 000002
【特許請求の範囲】
【請求項１】
複数のスイッチが設けられている基板を収納する筐体であって、
それぞれ対応するスイッチを押す複数の周辺ボタンと、
前記複数の周辺ボタンに囲まれ、対応するスイッチを押す中央ボタンとを備え、
前記周辺ボタンは、第１押し子と、前記第1押し子をスイッチに向かって移動可能に支持する第１アームとを備え、
前記中央ボタンは、第２押し子と、前記第２押し子をスイッチに向かって移動可能に支持する第２アームとを備え、
前記第２アームの幅は、前記第１アームの幅より小さいことを特徴とする筐体。
【請求項２】
前記中央ボタンは、前記第２アームを複数備えることを特徴とする請求項１に記載の筐体。
【請求項３】
電気設備の操作に用いられるリモコン装置であって、
請求項１または２に記載の筐体を備えることを特徴とするリモコン装置。
【発明の詳細な説明】
【技術分野】
【０００１】
本発明は、電子部品を収納する筐体に関し、特に複数のボタンを備える筐体およびそれを備えるリモコン装置に関する。
【背景技術】
【０００２】
スイッチを押すための構造として、前後に弾性的に移動できるように一側縁が操作孔の周縁にヒンジにて枢着された操作ハンドルを含む構造が知られている（例えば、特許文献１参照）。
【先行技術文献】
【特許文献】
【０００３】
【特許文献１】特開平７−１８４２６７号公報
【発明の概要】
【発明が解決しようとする課題】
【０００４】
スイッチを押すための構造として押し子を含むボタンには、押しやすい構造であること、押し子がスイッチに向かってまっすぐに移動する構造であることが求められる。一方、筐体に複数のボタンを設ける場合に、ボタンごとに形成可能なスペースの大きさが異なり、全てのボタンを同じ構造とすることができない場合がある。例えば、周囲を他のボタンに囲まれた中央のボタンは、形成可能なスペースが他のボタンに比べて小さくなる。この場合であっても、各ボタンには上述した点を満たして適切に動作することが求められる。
【０００５】
本発明はこうした状況に鑑みなされたものであり、その目的は、複数のボタンがそれぞれ適切に動作する筐体を提供することにある。
【課題を解決するための手段】
【０００６】
上記課題を解決するために、本発明のある態様の筐体は、それぞれ対応するスイッチを押す複数の周辺ボタンと、複数の周辺ボタンに囲まれ、対応するスイッチを押す中央ボタンとを備える。周辺ボタンは、第１押し子と、第1押し子をスイッチに向かって移動可能に支持する第１アームとを備え、中央ボタンは、第２押し子と、第２押し子をスイッチに向かって移動可能に支持する第２アームとを備える。第２アームの幅は、第１アームの幅より小さい。
【発明の効果】
【０００７】
本発明によれば、複数のボタンがそれぞれ適切に動作する筐体を提供できる。
【図面の簡単な説明】
【０００８】
【図１】本発明の実施例に係るリモコン装置および電気設備を示す図である。
【図２】図１のリモコン装置の正面図である。
【図３】図１のリモコン装置からカバーシートを取り外した正面図である。
【図４】図２のＡ−Ａ断面図である。
【図５】図１のリモコン装置の左ボタンの構造を示す図である。
【図６】図４のＢ部分の拡大図である。
【図７】図１のリモコン装置の中央ボタンの構造を示す図である。
【図８】図４のＣ部分の拡大図である。
【図９】変形例１に係る中央ボタンの構造を示す図である。
【図１０】変形例２に係る中央ボタンの構造を示す図である。
【図１１】変形例３に係る中央ボタンの構造を示す図である。
【発明を実施するための形態】
【０００９】
以下の実施例では、同一の構成要素に同一の符号を付し、重複する説明を省略する。また、各図面では、説明の便宜のため、構成要素の一部を適宜省略する。
【００１０】
本発明の実施例を具体的に説明する前に、図１を用いて実施例の概要を説明する。実施例は、ケーブル１０を介して電気設備１０００に接続されるリモコン装置１００に関する。電気設備１０００の一例は電力変換器である。リモコン装置１００は、屋内の壁面に取り付けられ、屋外に設置された電気設備への各種入力操作を使用者から受け付ける。ケーブル１０は、リモコン装置１００と電気設備１０００との接続線や、電気設備１０００の周辺機器とリモコン装置１００との接続線である。
【００１１】
リモコン装置１００は、電気設備１０００の情報や操作メニューを表示するディスプレイを備える。また、ディスプレイやケーブル１０が接続される電子部品を収納する筐体を備える。筐体には、使用者からの入力操作を受け付ける複数のボタンが設けられている。複数のボタンは隣接して設けられており、それぞれ使用者の操作に応じて筐体内のスイッチを確実に押す構造であること、押しやすく操作感が良好な構造であることが必要とされる。本実施例では、これらの点を満たす複数のボタンを備えるリモコン装置１００の筐体について説明する。
【００１２】
なお、以下の説明において、「平行」、「垂直」は、完全な平行、垂直だけではなく、誤差の範囲で平行、垂直からずれている場合も含むものとする。また、「略」は、おおよその範囲で同一であるという意味である。
【００１３】
図２から図４を使用しながら、リモコン装置１００の筐体の構造を説明する。各図に示すように、ｘ軸、ｙ軸、ｚ軸からなる直交座標系が規定される。ｘ軸、ｙ軸は、リモコン装置１００の背面内において互いに直交する。ｚ軸は、ｘ軸およびｙ軸に垂直な方向に延びる。また、ｘ軸、ｙ軸、ｚ軸のそれぞれの正の方向は、各図における矢印の方向に規定され、負の方向は、矢印と逆向きの方向に規定される。ｘ軸の正方向側を「右側」、ｘ軸の負方向側を「左側」ということもある。また、ｚ軸の正方向側を「前側」あるいは「正面側」、ｚ軸の負方向側を「後側」あるいは「背面側」、ｙ軸の正方向側を「上側」あるいは「天面側」、ｙ軸の負方向側を「下側」あるいは「底面側」ということもある。
【００１４】
図２は、本発明の実施例に係るリモコン装置１００を示す正面図である。図３は、リモコン装置１００からカバーシート１１６を取り外した正面図である。図４は、図２のＡ−Ａ断面図である。リモコン装置１００は、天面側が上で底面側が下となり、背面が壁面に対向するように建物内の立壁に取り付けられる。なお、リモコン装置１００の取付姿勢はこれに限られない。
【００１５】
リモコン装置１００は、ケーブルを介して電気設備１０００に接続される電子部品を収納する筐体１１０を備える。筐体１１０は、上ケース１１２と下ケース１１４との間に、ＣＰＵや、スイッチ、接続端子などが設けられた基板１７６を収納する。上ケース１１２および下ケース１１４は、それぞれ樹脂成形品であり、複数のネジや爪により互いに固定されている。また、筐体１１０は、ディスプレイ１１１を画面が露出するように収納する。ディスプレイ１１１は、電気設備１０００の操作メニューや各種情報を表示する。
【００１６】
筐体１１０の上ケース１１２には、使用者が各種操作をするための複数のボタンが設けられている。筐体１１０の正面側には、各ボタンに対応する位置に操作内容が描かれたカバーシート１１６が貼り付けられている。使用者は、カバーシート１１６の上から、以下で説明する各ボタンを押してリモコン装置１００を操作する。
【００１７】
図３に示す左上ボタン１１８は、「メニュー／戻る」ボタンである。ディスプレイ１１１にメニュー画面を表示させたり、操作画面からメニュー画面に戻ったりする際に使用される。左下ボタン１２０は、「運転／停止」ボタンである。電気設備１０００を運転させたり停止させたりする際に使用される。右上ボタン１２２は、「積算表示」ボタンである。使用した積算電力量を表示させる際に使用される。右下ボタン１２４は、「お知らせ／ブザー停止」ボタンである。サービスセンターからのお知らせを表示させたり、異常が生じた場合に鳴るブザーを停止させたりする際に使用される。
【００１８】
左ボタン１２１、上ボタン１２３、右ボタン１２５、および下ボタン１２７は、「方向」ボタンであり、ディスプレイ１１１に表示されるメニューの選択操作などに使用される。本明細書では、左ボタン１２１、上ボタン１２３、右ボタン１２５、および下ボタン１２７をまとめて周辺ボタンとよぶ場合がある。中央ボタン１２８は、「決定」ボタンであり、各種操作を決定する際に使用される。中央ボタン１２８は、上下左右が周辺ボタンに囲まれている。
【００１９】
図４に示すように、筐体１１０は、上ケース１１２と下ケース１１４との間に、基板１７６を収納する。基板１７６は、下ケース１１４側に、電気設備１０００につながるケーブル１０が接続される接続端子１５２、ＬＡＮ（Local Area Network）ケーブルが接続されるコネクタ端子１５４などが設けられている。また、基板１７６は、上ケース１１２側であって各ボタンに対応する位置に、スイッチ１７８、１８０、１８２、１８４、１８６が設けられている。基板１７６には、左下ボタン１２０および右下ボタン１２４に対応するスイッチも設けられている。
【００２０】
次に周辺ボタンの構造を説明する。周辺ボタンは、それぞれ左右の向きが異なる点を除いて同様の構造を備える。ここでは、左ボタン１２１の構造を説明する。図５は、左ボタン１２１の拡大正面図である。図６は、図４のＢ部分の拡大図である。
【００２１】
左ボタン１２１は、左ボタン孔１３０、左アーム１３６、左押し子１３８を備える。左ボタン孔１３０は、アーム孔１３２、押し子孔１３４を備える。アーム孔１３２は、左アーム１３６に沿って矩形状に形成された貫通孔である。押し子孔１３４は、左押し子１３８に沿って矩形状に形成された貫通孔であり、アーム孔１３２に通じている。左アーム１３６は、アーム孔１３２の左側縁からｘ軸に平行に右側に延びて、左押し子１３８の左側縁に連結されている。左押し子１３８は、左アーム１３６によりｚ軸に平行な方向に移動可能に支持されている。左押し子１３８は、基板１７６に向かってｚ軸に平行な方向に延びる柱状に形成されており、底面に左スイッチ１８０を押す左突起１４０を備える。
【００２２】
使用者が左ボタン１２１を押すと、左アーム１３６が弾性変形して左押し子１３８が基板１７６に向かって移動し、左突起１４０が左スイッチ１８０を押す。使用者が左ボタン１２１から手を離すと、左アーム１３６に復元力がはたらいて左押し子１３８が元の位置に戻り、左突起１４０が左スイッチ１８０から離れる。リモコン装置１００は、左スイッチ１８０のオンオフ操作に応じて、ディスプレイ１１１の表示画面を変更する処理などを行う。
【００２３】
次に図７および図８を使用しながら、中央ボタン１２８の構造を説明する。図７は、中央ボタン１２８の拡大正面図である。図８は、図４のＣ部分の拡大図である。
【００２４】
中央ボタン１２８は、中央ボタン孔１４２、第１中央アーム１４４、第２中央アーム１４６、中央押し子１４８を備える。中央ボタン孔１４２は、第１中央アーム１４４、第２中央アーム１４６、および中央押し子１４８を囲む矩形状の貫通孔である。第１中央アーム１４４は、中央ボタン孔１４２の下側縁を基端としてｙ軸に平行に上側に延びてから、屈曲してｘ軸に平行に右側に延びて、中央押し子１４８の左側縁に連結する。第２中央アーム１４６は、中央ボタン孔１４２の下側縁を基端としてｙ軸に平行に上側に延びてから、屈曲してｘ軸に平行に左側に延びて、中央押し子１４８の右側縁に連結する。
【００２５】
中央押し子１４８は、第１中央アーム１４４および第２中央アーム１４６によりｚ軸に平行な方向に移動可能に支持されている。中央押し子１４８は、基板１７６に向かってｚ軸に平行な方向に延びる柱状に形成されており、底面に中央スイッチ１８２を押す中央突起１５０を備える。
【００２６】
使用者が中央ボタン１２８を押すと、第１中央アーム１４４および第２中央アーム１４６が弾性変形して中央押し子１４８が基板１７６に向かって移動し、中央突起１５０が中央スイッチ１８２を押す。使用者が中央ボタン１２８から手を離すと、第１中央アーム１４４および第２中央アーム１４６に復元力がはたらいて中央押し子１４８が元の位置に戻り、中央突起１５０が中央スイッチ１８２から離れる。リモコン装置１００は、中央スイッチ１８２のオンオフ操作に応じて、ディスプレイ１１１の表示画面を変更する処理や電気設備１０００を制御する処理などを行う。
【００２７】
第１中央アーム１４４および第２中央アーム１４６の延伸方向に直交する方向の幅Ｗ１は、左アーム１３６の延伸方向に直交する方向の幅Ｗ２より小さくする。中央ボタン１２８において、左ボタン１２１を含む周辺ボタンより小さいスペースで、中央押し子１４８を移動可能に支持することが可能になる。
【００２８】
また、第１中央アーム１４４および第２中央アーム１４６には屈曲部を形成する。これにより、中央ボタン孔１４２の側縁と中央押し子１４８の側縁とを最短距離で連結する場合に比べて、第１中央アーム１４４および第２中央アーム１４６を長く形成できる。中央押し子１４８が中央スイッチ１８２を押すのに充分な可動域を確保することが可能になる。また、中央押し子１４８をより軽い力で動かすことが可能になり、押しやすくなる。
【００２９】
さらに、第１中央アーム１４４と第２中央アーム１４６とを、中央押し子１４８の中央を通るｙ軸に平行な直線を中心とする略線対称に形成する。略線対称とは、完全な線対称ではなくても、誤差の範囲でずれる程度も含まれることを意味する。中央押し子１４８が押されると、第１中央アーム１４４および第２中央アーム１４６に力が分散して同じように弾性変形するため、中央押し子１４８が中央スイッチ１８２に向かってまっすぐに移動しやすくなる。また、中央押し子１４８の上面においてどこを押しても均一な操作感が得られ、操作感覚が改善される。
【００３０】
以上、本実施例によれば、上下左右を周辺ボタンに囲まれて、形成スペースが周辺ボタンより小さい中央ボタン１２８も、押しやすく確実にスイッチを押圧可能な構造とすることができる。これにより、中央ボタン１２８および周辺ボタンのそれぞれが適切に動作する筐体１１０およびそれを備えるリモコン装置１００を提供できる。
【００３１】
（変形例１）
図９は、変形例１に係る中央ボタン１２８Ａの構造を示す図である。中央ボタン１２８Ａの第２中央アーム１４６は、中央ボタン孔１４２の上側縁を基端としてｙ軸に平行に下側に延びてから、屈曲してｘ軸に平行に左側に屈曲し、中央押し子１４８の右側縁に連結する。
変形例１では、第１中央アーム１４４と第２中央アーム１４６とが、中央押し子１４８の中央位置を中心とする略回転対称に形成されている。略回転対称とは、完全な回転対称ではなくても、誤差の範囲でずれる程度も含まれることを意味する。略回転対称構造とすることで、中央押し子１４８がよりまっすぐに移動しやすくなる。また、より均一な操作感が得られ、操作感覚が改善される。
【００３２】
（変形例２）
図１０は、変形例２に係る中央ボタン１２８Ｂの構造を示す図である。中央ボタン１２８Ｂの第１中央アーム１４４は、中央ボタン孔１４２の左側縁を基端としてｘ軸に平行に右側に延びてから、屈曲してｙ軸に平行に上側に延び、さらに屈曲してｘ軸に平行に右側に延びて中央押し子１４８の左側縁に連結する。第２中央アーム１４６は、中央ボタン孔１４２の右側縁を基端としてｘ軸に平行に左側に延びてから、屈曲してｙ軸に平行に上側に延び、さらに屈曲してｘ軸に平行に左側に延びて中央押し子１４８の右側縁に連結する。中央ボタン孔１４２の上側縁および下側縁と中央押し子１４８とのそれぞれの間隔を小さくして、上下方向に省スペース化した構成とすることができる。第１中央アーム１４４または第２中央アーム１４６を上下に反転させて略回転対称構造としてもよい。
【００３３】
（変形例３）
図１１は、変形例３に係る中央ボタン１２８Ｃの構造を示す図である。中央ボタン１２８Ｃの第１中央アーム１４４は、中央ボタン孔１４２の下側縁を基端としてｙ軸に平行に上側に延びてから、逆Ｕ字状に屈曲して回り込むように中央押し子１４８の上側縁に連結する。第２中央アーム１４６は、中央ボタン孔１４２の下側縁を基端としてｙ軸に平行に上側に延びてから、逆Ｕ字状に屈曲して回り込むように中央押し子１４８の上側縁に連結する。中央押し子１４８の側縁に沿って回り込む構成とすることで、第１中央アーム１４４および第２中央アーム１４６を長くして、中央押し子１４８の可動域を大きくすることができる。第１中央アーム１４４または第２中央アーム１４６を上下に反転させて略回転対称構造としてもよい。
【００３４】
なお、実施例および変形例において、第１中央アーム１４４および第２中央アーム１４６のいずれか一方で中央押し子１４８を支持する構成としてもよい。中央ボタン１２８のさらなる省スペース化が可能になる。また、本実施例のように２本のアームで中央押し子１４８を支持してもよく、３本以上のアームで支持する構成としてもよい。複数のアームを設けた場合には、中央押し子１４８にかかる力が複数のアームに分散されるので、繰り返し使用に対する耐久性が向上する。
【００３５】
本発明の一態様の概要は、次の通りである。
【００３６】
［項目１］
複数のスイッチが設けられている基板（１７６）を収納する筐体（１１０）であって、
それぞれ対応するスイッチを押す複数の周辺ボタン（１２１、１２３、１２５、１２７）と、
前記複数の周辺ボタン（１２１、１２３、１２５、１２７）に囲まれ、対応するスイッチを押す中央ボタン（１２８）とを備え、
前記周辺ボタン（１２１、１２３、１２５、１２７）は、第１押し子（１３８）と、前記第1押し子（１３８）をスイッチに向かって移動可能に支持する第１アーム（１３６）とを備え、
前記中央ボタン（１２８）は、第２押し子（１４８）と、前記第２押し子（１４８）をスイッチに向かって移動可能に支持する第２アーム（１４４、１４６）とを備え、
前記第２アーム（１４４、１４６）の幅は、前記第１アーム（１３６）の幅より小さいことを特徴とする筐体（１１０）。
【００３７】
［項目２］
前記中央ボタン（１２８）は、前記第２アーム（１４４、１４６）を複数備えることを特徴とする項目（１）に記載の筐体（１１０）。
【００３８】
［項目３］
電気設備（１０００）の操作に用いられるリモコン装置（１００）であって、
項目（１）または（２）に記載の筐体（１１０）を備えることを特徴とするリモコン装置（１００）。
【符号の説明】
【００３９】
１００  リモコン装置、  １１０  筐体、  １７６  基板、  １２１  左ボタン（周辺ボタン）、  １２３  上ボタン（周辺ボタン）、  １２５  右ボタン（周辺ボタン）、  １２７  下ボタン（周辺ボタン）、  １２８  中央ボタン、  １３６  左アーム（第１アーム）、  １３８  左押し子（第１押し子）、  １４４  第１中央アーム（第２アーム）、  １４６  第２中央アーム（第２アーム）、  １４８  中央押し子、  １０００  電気設備。
【図１】
2018133320.tif 000003
【図２】
2018133320.tif 000004
【図３】
2018133320.tif 000005
【図４】
2018133320.tif 000006
【図５】
2018133320.tif 000007
【図６】
2018133320.tif 000008
【図７】
2018133320.tif 000009
【図８】
2018133320.tif 000010
【図９】
2018133320.tif 000011
【図１０】
2018133320.tif 000012
【図１１】
2018133320.tif 000013